(57)【要約】【課題】            本発明は、調理庫で行う調理の利便性を向上し得る加熱調理器を提供することを目的とする。【解決手段】        前記目的を達成するために、本発明に係る加熱調理器１は、調理器本体２上で被調理物を加熱・調理する上面調理手段５と、調理器本体２内に設けられ、被調理物２１を内部に収容して加熱・調理する調理庫６とを有し、調理庫６は、庫内に設けられた加熱体２２、２３と、被調理物２１を調理庫６内に収容する際に用いる受皿１８と、被調理物２１を調理庫６内へ収容又は取出す際に開閉する扉２０と、受皿１８を調理庫６内のある特定高さに配置し得る保持手段１３、２０Ａとを備え、保持手段１３、２０Ａは、調理庫６内における受皿１８の配置高さを変更可能としたことを特徴とする。【選択図】          図３
2005069611.tif 000002
【特許請求の範囲】
【請求項１】
調理器本体上で被調理物を加熱・調理する上面調理手段と、前記調理器本体内に設けられ、被調理物を内部に収容して加熱・調理する調理庫とを有し、
前記調理庫は、庫内に設けられた加熱体と、
前記被調理物を調理庫内に収容する際に用いる受皿と、
前記被調理物を前記調理庫内へ収容又は取出す際に開閉する扉と、
前記受皿を前記調理庫内のある特定高さに配置し得る保持手段とを備え、
前記保持手段は、前記調理庫内における前記受皿の配置高さを変更可能としたことを特徴とする加熱調理器。
【請求項２】
前記保持手段は、前記調理庫の内側壁を屈曲させて調理庫内の異なる高さに形成された複数のレールよりなり、前記複数のレールのいずれかに受皿を配置することで、前記調理庫内における前記受皿の配置高さを変更可能としたことを特徴とする請求項１の加熱調理器。
【請求項３】
前記保持手段は、前記扉の異なる高さに設けられた複数の係合部よりなり、前記複数の係合部のいずれかに前記受皿を係合させることで、前記調理庫内における前記受皿の配置高さを変更可能としたことを特徴とする請求項１の加熱調理器。
【請求項４】
前記保持手段は、前記扉の異なる高さに設けられた複数の係合部と、前記受皿を支持するための支持手段よりなり、前記複数の係合部のいずれかに前記支持手段を係合させて前記受皿を支持することで、前記調理庫内における前記受皿の配置高さを変更可能としたことを特徴とする請求項１の加熱調理器。
【発明の詳細な説明】
【技術分野】
【０００１】
本発明は、調理器本体上面及び本体に備えられた調理庫にて調理可能な加熱調理器に関するものである。
【背景技術】
【０００２】
従来よりこの種の加熱調理器は、調理器本体上面に調理用のトッププレートが設けられ、このトッププレートの下側となる調理器本体内にはヒーター及び電磁誘導加熱コイル等の加熱体が設けられ、これらの加熱体によってトッププレート上での加熱調理を可能にしている。また、トッププレートの下方となる調理器本体内にヒーターを設けた魚焼器としての調理庫が設けられており、この調理庫内には焼網に載せた魚などを上下面から焼くための上部加熱体と下部加熱体とが設けられ、魚を上下両面から焼けるように構成している。該調理器本体の前面には調理器の操作スイッチや調理庫を開閉する取手の付いた扉が設けられている（特許文献１参照）。
【０００３】
【特許文献１】特開昭６３−３４４２５号公報
【発明の開示】
【発明が解決しようとする課題】
【０００４】
しかしながら、加熱調理器に設けられた調理庫内で行う調理は、被調理物が特に魚などに限定されてしまっていた。このため、魚料理を好まないユーザーにとっては、魚を焼くために限定されている調理庫は使い道が全く無いといって良いくらい無駄な装備であった。
【０００５】
また、加熱調理器に設けられた魚などを置く焼網は、調理物が好適に焼けるように針金状の金属網（金網）で構成されてた。そのため魚調理を好まないユーザーが他の調理、例えばグラタンなど重量の重い容器を焼網に載せると焼網が重量に絶えきれず容器を落下させてしまうなどの問題もあった。またクッキー、ロールパンなど魚よりも大幅に小さなものや調理前に柔軟なものは、焼網の格子から脱落してしまう問題もあった。
【０００６】
本発明は、前記課題に鑑み為されたものであり、調理庫で行う調理の利便性を向上し得る加熱調理器を提供することを目的とする。
【課題を解決するための手段】
【０００７】
前記目的を達成するために、本発明に係る加熱調理器は、調理器本体上で被調理物を加熱・調理する上面調理手段と、調理器本体内に設けられ、被調理物を内部に収容して加熱・調理する調理庫とを有し、調理庫は、庫内に設けられた加熱体と、被調理物を調理庫内に収容する際に用いる受皿と、被調理物を調理庫内へ収容又は取出す際に開閉する扉と、受皿を調理庫内のある特定高さに配置し得る保持手段とを備え、保持手段は、調理庫内における受皿の配置高さを変更可能としたことを特徴とする。
【発明の効果】
【０００８】
本発明によれば、加熱調理器の調理庫内における受皿の配置高さを変更可能な保持手段を設けたので、任意の高さに受皿の高さを簡単に変更することができ、加熱調理器の利便性を極めて向上させることができる。これにより、調理する被調理物の形状や調理する被調理物の種類等に応じて受皿の高さを変更することが可能となるとともに、被調理物に最適な加熱で調理することができ、加熱調理器の調理機能を大幅に増大させることができる。
【発明を実施するための最良の形態】
【０００９】
実施の形態１．
以下、本発明の一実施形態に基づき、本発明を詳しく説明する。図１は本発明の加熱調理器１の斜視図、図２は本発明の加熱調理器１の調理庫６内から受皿１８を引き出し、被調理物２１としての魚を載置した状態（扉開状態）の斜視図、図３は同図２の加熱調理器１の縦断側面図（被調理物は図示せず）、図４は図３の受皿１８を調理庫６内に収納した加熱調理器１（扉閉状態）の縦断側面図をそれぞれ示している。
【００１０】
図１において、２は上面が開口された調理器本体で、上面開口部には枠体７を介して、例えば耐熱ガラスの如き非磁性材からなる平板状のトッププレート３が取り付けられている。トッププレート３は周囲を枠体７により保持されて調理器本体２の天面に設けられ、下面には略密着して渦巻状に巻かれ通電されることにより加熱するヒーター４及び通電されることによりトッププレート３上に載置された鍋などを加熱する電磁誘導加熱コイル５等の加熱体が配設されている（本発明の上面調理手段に相当）。この調理器本体２内には図示しないが各加熱体をそれぞれ制御する多くの電気部品が実装された制御基板、及び、電動モータにより駆動され発熱部品を冷却する送風機などが設けられている。尚、加熱調理器１は１００Ｖ〜２００Ｖの商用交流電源が通電される。
【００１１】
外気導入口１０は、図示しない送風機により調理器本体２内に設けられた発熱部品を冷却するため調理器本体２外部から外気を調理器本体２内部に導入するもので、枠体７の後部側に設けられている。また、排気口１１は、外気導入口１０から導入され発熱部品と熱交換して暖められた空気を排出するもので、枠体７の後部側（外気導入口１０の横）に設けられている。
【００１２】
操作部１４は複数の電磁誘導加熱コイル５などの加熱量を調整操作するための複数のボリューム１５や電源スイッチ（図示せず）などが設けられ、それらのボリューム１５で調理の制御パターンを選択操作するもので、調理器本体２の一側（調理者が加熱調理器１に向かって調理を行う側）に設けられている。天板操作部１６には操作部１４に連動して電磁誘導加熱コイル５などの加熱量を操作する複数の操作ボタン１７が設けられており、これらの操作ボタン１７は枠体７の前部側に設けられると共にトッププレート３の幅方向に渡って設けられている。
【００１３】
サークルライン８は調理鍋（図示せず）等の載置位置を表示するもので、トッププレート３に印刷されると共にヒーター４及び電磁誘導加熱コイル５等の対応位置に設けられている。このサークルライン８の直径はヒーター４及び電磁誘導加熱コイル５の外径と略等しいか、又は若干大きく形成されている。また、表示部９は加熱体の火力を表示するもので各サークルライン８に近接してトッププレート３の幅方向に延在してサークルライン８の前面側に設けられている。
【００１４】
また、図２に示すように、調理庫６では魚やクッキー或いはグラタンなどの被調理物２１を調理可能で、トッププレート３の下方（操作部１４の横）となる調理器本体２内に設けられている。受皿１８は被調理物２１を調理庫６内に収容する際に用いられ、本実施形態では金属板がプレスされて略矩形状に形成され、被調理物２１を調理庫６内へ収容又は取出す際に調理庫６の前面開口を開閉する扉２０に取り付けられている。この受皿１８は被調理物２１を料理する被調理物２１から滴下する焼汁を受けたり、被調理物を直接載置できる。また、上面には焼網１９を載置して、この焼網１９に被調理物を載置して使用することも可能である。焼網１９は本実施形態では金属の細い棒（針金）にて構成されている。また、取手２０Ｂは扉２０を開閉する際の手掛け部で、扉２０の下部前面に取り付けられている。
【００１５】
この扉２０には、図３或いは図４に示すように受皿１８を着脱可能に係合保持する、後に説明する係合部２０Ａ（本発明の保持手段に相当）が設けられている。さらに被加熱物を加熱する加熱体として、上部加熱体２２が調理庫６内の上部に、下部加熱体２３が調理庫６内の下部に設けられている。このように加熱体を調理庫６の上下部に設けることで、調理庫６内の温度をより均一に加熱することができる上、被調理物２１を上部加熱体２２と下部加熱体２３との間に配置すれば、上部加熱体２２が被調理物２１を上側から加熱し、下部加熱体２３が被調理物２１を下側から加熱するため、被調理物２１の表裏両面を均一に加熱することが可能となる。該上下部加熱体２２、２３は、本実施形態おいては通電されることによりそれぞれ加熱する折曲した棒状ヒーターにて構成されている。
【００１６】
レール１３（本発明の保持手段に相当）は調理庫６両側の側壁１２に異なる高さで上下方向に複数段（実施例では２段）設けられており、これらのレール１３の何れかで受皿１８を支持することにより、調理庫６内で受皿１８の高さを調整できるように構成している。本実施形態では、レール１３を調理庫６両側の側壁１２の対向する位置を屈曲させることにより形成している。この場合、調理庫６の両側の側壁１２を扉２０側から調理庫６の奥方向に渡って所定寸法調理庫６内側に凸出屈曲させた凸状部１３Ａを設け、この凸状部１３Ａの上面をレール１３としている。即ち、複数のレール１３は調理庫６の両側の側壁１２を調理庫６内方向に屈曲させて、両側壁１２の同一の高さに設けられた凸状部１３Ａによって受皿１８の両端を支持する構造となっている。そして、受皿１８の両端をレール１３上に支持することで受皿１８が扉２０側から調理庫６内に挿脱自在に挿入可能となっている。また図４のように、本実施形態では受皿１８の調理庫６内における配置位置を最も低い状態に設定して、焼網１９を受皿１８に載置し、調理庫６内に受皿１８を挿入すると、受皿１８は下部加熱体２３の下側、焼網１９は上部加熱体２２と下部加熱体２３との間に挿入されるように構成されている。これによって、焼網１９に載せた魚や肉などの被調理物２１は上下両面から加熱され調理される。本実施形態では、このとき、調理庫６底面も受皿１８を保持する保持手段となっている。
【００１７】
尚、レール１３の扉２０側端部をトッププレート３側に所定寸法折曲させたストッパー（図示せず）が設けられると共に、受皿１８下面にストッパーに係合する図示しない係止穴が設けられている。そして、受皿１８を調理庫６内より引き出した際受皿１８の係止穴がレール１３のストッパーに係止されることにより受皿１８が所定位置以上引き出されてしまうのを規制している。これにより、受皿１８を引き出した際に、引き出し量が多すぎて受皿１８が調理庫６から脱落してしまうのを阻止することができるので、調理庫６から受皿１８が脱落し、加熱した被調理物２１が床に落下してしまうなどの不具合を防止でき、加熱調理器１の安全性、使い勝手を向上させることができる。
【００１８】
また、本実施形態においては扉２０にも、本発明の保持手段に相当するものとして前述の受皿１８を着脱自在に保持可能な係合部２０Ａを異なる高さに複数設けている。この係合部２０Ａもレール１３同様、調理庫６内における受皿１８の保持高さを変更したいときに、所望の高さの係合部２０Ａを用いることで受皿１８の保持高さを変更することを可能としている。この係合部２０Ａは扉２０の調理庫６面に横長矩形状に設けられた係合孔（図示せず）とその係合孔からおよそ受皿１８の厚さ分下方に設けられた受皿支え２０Ｃとで構成されており、係合部２０Ａが扉２０の調理庫６内側の面に所定の間隔で複数段（本実施形態では２箇所）設けられている。これらの係合部２０Ａは、調理庫６の前面開口を扉２０で閉塞した状態で被調理物２１を載置した受皿１８を調理庫６の底面、或いは調理庫６内に設けた複数のレール１３に対応する位置に設けられ、受皿１８を扉２０とともに調理庫６底面或いはレール１３上で支持できる位置に設けられている。
【００１９】
尚、受皿１８には扉２０に設けた係合部２０Ａに係合可能な図示しない係合片を周囲に備えており、係合片が扉２０の係合部２０Ａに係合された状態で、係合された箇所を支点に上下方向に独立して僅か動く構成になっている。この受皿１８の係合片を扉２０に設けた係合部２０Ａに係合させることにより、扉２０に複数の受皿１８を略平行に保持できるように構成している。このような構成により、本実施形態における加熱調理器１では、該複数の係合部２０Ａのいずれかに受皿１８を係合させることで、調理庫６内で受皿１８の配置高さを変更できるように構成されている。
【００２０】
図５は受皿１８の調理庫６内における配置高さを変更して調理を行っているところを示した斜視図である。図６は図５における扉２０が開状態の断面図、図７は図５における扉２０が閉状態の断面図である。図５では加熱調理器１の調理庫６内で調理を行う被調理物２１の例としてグラタンを調理する調理例を示している。この場合、図３、４に示すような状態の受皿１８から焼網１９を外し、扉２０に設けた下部の係合部２０Ａから受皿１８を外して、図６に示すように扉２０の上部の係合部２０Ａに受皿１８を取り付ける。そして、グラタンとしての被調理物２１が入った容器２５を受皿１８上に載置した状態で、調理庫６を被調理物２１と上部加熱体２２とが所定の間隔を存して設けられた扉２０に取り付けられた受皿１８の高さと対応する位置のレール１３に受皿１８の両側の縁を支持させ、調理庫６奥方向にスライドさせながら扉２０を閉塞することで、図７のように受皿１８の調理庫６内における配置高さを変更することが可能となっている。
【００２１】
これにより、調理庫６内に設けた被調理物２１として、グラタンのような焼網１９に載置すると不安定になり調理が困難であった被調理物を受皿１８に安定に載置して良好に調理することができる。尚、容器２５の大きさにより受皿１８は最上段のレール１３や底面により支持しても差し支えない。なお、図６、図７では容器２５の記載を省略している。
【００２２】
このように、加熱調理器１に受皿１８の調理庫６内での配置高さを変更し得る保持手段として、本実施形態では扉２０に設けた複数段の係合部２０Ａと、調理庫６の側壁１２に設けた複数段のレール１３を設けたので、調理者が任意の高さを選択して受皿１８を支持させることにより受皿１８の高さを簡単に変えることができる。これにより、被調理物２１の大きさ、量、形状、種類、行う調理等に合わせて受皿１８の高さを変えることができるようになるので、調理に好適な高さに被調理物２１の位置を調整することができる。
【００２３】
このように、受皿１８の調理庫６内での配置高さを変更し得ることにより、従来ではこのような加熱調理器１における調理庫６の調理物としては実質的に魚焼きのみに限られていた用途を、バラエティに富んだ調理を可能にすることができ、加熱調理器の利便性を極めて向上させることが可能となる。
【００２４】
尚、このような本実施形態では、受皿１８を複数用意し、扉２０に設けた複数の係合部２０Ａに複数の受皿１８を係合して、調理庫６内に一度に複数の受皿１８を挿入することも可能である。図８は加熱調理器１の調理庫６内で被調理物２１としてクッキーを調理する例を示したもの、図９は図８における扉２０が開状態の断面図、図１０は図８における扉２０が閉状態の断面図である。図８に示すように、クッキーなどの被調理物２１を複数用意した受皿１８に載置し、図９に示すように扉２０の係合部２０Ａに複数の受皿１８を取付ける。本実施形態では、扉２０にクッキーを載置した受皿１８が上下２段で取り付けられている。
【００２５】
このように取付けられた受皿１８は、下段の受皿１８が被調理物２１（クッキー）を複数載置した状態で、被調理物２１と下部加熱体２３とが所定の間隔を存した位置に配置され、上段の受皿１８が、やはり（クッキー）を複数載置した状態で、被調理物２１と上部加熱体２２とが所定の間隔を存した位置に配置される。そして上部加熱体２２及び下部加熱体２３により被調理物２１としてのクッキーの表面を香ばしい焼き色に焼くことができる。
【００２６】
このとき、上段の受皿１８は、保持手段であるレール１３及び扉２０の上段の係合部２０Ａにより支持され、下段の受皿１８は、保持手段である調理庫６底面及び扉２０の下段の係合部２０Ａにより支持され、安定保持される。これにより、調理庫６内に２段設けた受皿１８に載置した被調理物２１としてのクッキーを好適に焼いて調理することができる。
【００２７】
尚、このように受皿１８を複数配置し、複数段調理を行う場合、調理庫６内の背面などに調理庫６内の空気攪拌用の図示しない送風機を設け、調理庫６内の上下温度の更なる均一化を図れるように構成しても良い。このように構成すれば、より良好な複数段調理が可能となる。また、図９、図１０ではクッキーとしての被調理物２１を省略している。
【００２８】
このように、受皿１８を支持するための係合部２０Ａを扉２０に複数段設けているので、ひとつの受皿１８で調理する場合には、扉２０の係合部２０Ａへの取付け位置を調整することによって、受皿１８の調理庫６内での配置高さを変更できるとともに、複数の受皿１８を用意しておくことで、係合部２０Ａに複数の受皿１８を載置して支持することも可能となる。これにより、複数段の受皿１８で被調理物２１を調理することができるので、一回の被調理物２１の調理個数も増加させることができる。従って、加熱調理器１の調理機能を大幅に増大させることができるようになると共に、加熱調理器１の利便性を極めて向上させることができるようになる。
【００２９】
そして、ひとつの受皿１８で調理を行う場合では、被調理物２１の種類に応じて、被調理物２１を加熱するのに最適な調理庫６内での高さ位置に配置できるので、加熱調理器１の利便性の向上を図ることができる。これにより、クッキーやグラタン或いはロールパンなどのバラエティに富んだ調理を良好に調理することが可能となる。
【００３０】
また、受皿１８を複数備えておけば、複数段で同時に調理可能となる。また、異なる被調理物２１を同時に調理することもできる。このように本実施形態における加熱調理器によれば、使用者の用途に合わせたさまざまな使用法で使用することもでき、同時調理によって調理時間を大幅に短縮することや、ざまざまな被調理物の種類のものを同時に調理することも可能であり、加熱調理器１の利便性を極めて向上させることができる。
【００３１】
尚、本実施形態においては、受皿１８を同一の形状のものを用いる例をあげて説明したが、調理を行う被調理物２１の種類、例えば、クッキーやグラタン或いはロールパンなどを調理するのに最適な形状とした専用の受皿をそれぞれ備え、調理する被調理物２１に合わせて付け替える構成としても良い。このように構成しておけば、被調理物の種類に応じて、使用する受皿を交換できるとともに、クッキーやグラタン或いはロールパンなどのバラエティに富んだ調理を専用の調理用受皿で良好に調理することが可能となる。
【００３２】
また、本実施形態では、保持手段として調理庫６内壁に設けられたレール１３や調理庫６底面、及び扉２０に備えられた係合部２０Ａの両者を使用する例をあげて説明した。このように調理庫６内壁面及び扉２０の両者に保持手段を設ける構成によれば、受皿１８をより安定的に保持しながら、受皿１８の調理庫６内における高さを簡単に変更することが可能となる。しかし本発明は、この実施形態のみに限られるものではなく、それぞれ単独で用いることも可能である。
【００３３】
例えば、調理庫６内壁に保持手段を備える構成であれば、簡単な構成で受皿１８の調理庫６内における高さを簡単に変更することが可能となる。また、扉２０に保持手段を備える構成であれば、扉２０の開閉によって、調理庫６内から受皿１８の挿入、引出しを同時に行えるため、調理後に熱くなった受皿２０を調理庫６から受皿２０を取り出すために、持ち手などの別部品を備える必要がない上、簡単な構成で受皿１８の調理庫６内における高さを簡単に変更することが可能となる。また、このように調理庫６内壁または扉２０の一方に保持手段を備えた構成であれば、加工における作業が軽減し、加工性、製造性を向上させることも可能となる。
【００３４】
実施の形態２．
図１１は、脱臭塗料をコーティングした調理庫内の内壁の斜視図、図１２は、図１１のＡ−Ａ線断面図である。実施の形態１で説明したような加熱調理器において、本実施形態では、図１１に示す調理庫６の庫内の壁面に庫内の臭いを脱臭する脱臭塗料をコーティングしている。この脱臭塗料は臭いを吸収し分解するもので、調理庫６内の上下左右の壁面全体にコーティングしている。係る調理庫６内で魚や肉などの被調理物２１を焼いたり調理を行う際壁面に被調理物２１の跳ねなどによる汚れが付着してしまう。しかし、壁面に付着した被調理物２１の汚れは綺麗に落とせず、また綺麗に落としたとしても調理庫６内にはどうしても臭いが残ってしまう。そこで、以前に調理した被調理物２１の臭いが調理庫６内に残って、次に調理する被調理物２１に調理庫６内に残っている臭いが付いてしまうのを防止するため調理庫６内全面に脱臭塗料をコーティングしている。
【００３５】
これにより、調理庫６内の上下左右の壁面全体にコーティングした脱臭塗料にて調理庫６内を脱臭し次に調理する被調理物２１に臭いが付いてしまうのを防止することができる。なお、調理庫６内で魚や肉などの被調理物２１を焼くと、調理庫６内に臭いが残り、そのまま、例えばクッキーやグラタンなどの他の被調理物２１の調理を行った場合、魚や肉などの被調理物２１の臭いがクッキーやグラタンなどの被調理物２１に移って風味を損なってしまうため、従来では、臭いや汚れのつきづらいホーローなどの材料を調理庫６内壁に焼き付けるなどの方法で対処していたが、このような焼付作業は非常に煩雑で手間のかかる作業であったが、本実施形態では塗料をコーティングすることで、臭いや汚れに対策できるため、非常に簡単に処理を施すことができ、加工性、製造性が向上する。
【００３６】
ところで、調理庫６内の全壁面に脱臭塗料をコーティングし脱臭を行っても、その脱臭効果は脱臭塗料塗布面の面積に依存するが、調理庫６内の面積は限られていて、脱臭塗料の脱臭効果にも限界がある。そこで、よりその効果を効率良く得るため本実施形態では調理庫６の側壁１２の表面積を拡大して脱臭効果を拡大させている。
【００３７】
図１２に示すように調理庫６内の側壁１２を波形トタン状に多数の湾曲に折曲した波形状１２Ａに形成し、側壁１２の表面積を拡大している。この場合、調理庫６内の側壁１２が平面の場合に対して、大幅に面積を拡大できるので、脱臭効果も大幅に向上させることができる。これにより、調理庫６内で魚や肉などの被調理物２１を焼いてもそれらの臭いをより高効率で吸収し、分解することができ、調理庫６内で魚や肉などを焼いた後、他のクッキーやグラタンなどの被調理物２１の調理を行った場合でも魚や肉などの被調理物２１の臭いが他のクッキーやグラタンなどの被調理物２１に移ってしまう不都合を良好に防止することができる。従って、調理庫６を魚としての被調理物２１以外にも、バラエティに富んだ多数の調理を行うことができ、加熱調理器１の利便性を大幅に向上させることができる。
【００３８】
尚、調理庫６内の側壁１２は、波形トタン状に湾曲に折り曲げた波形状１２Ａに限らず、波形トタン状の湾曲部分を角に折り曲げても同様に表面積を拡大させて脱臭効果を拡大させることができる。また、調理庫６内の側壁１２を波形トタン状の湾曲や角折以外に、丸、三角、四角、楕円などの凹凸形状にしても同様に表面積を拡大することができ脱臭効果を拡大させることができる。また、レール１３は波形状１２Ａ等に形成しても、平面でもどちらでも差し支えない。この場合、レール１３に支持される受皿１８両端を平面に構成しておけばレール１３部分に波形状１２Ａを形成しても、受皿１８が引っかかることなく円滑に挿脱させることができる。
【００３９】
実施の形態３．
図１３は本発明の他の一実施形態の概要を示す斜視図である。なお前述の各実施の形態と同じ部分にはこれと同じ符号を付し、説明を省略する。前述の各実施の形態で説明したような加熱調理器において、本実施形態では、加熱調理器１の調理器本体２下方となる調理庫６下部に焼網１９や受皿１８などを収納可能な収納部２６を設けている。即ち、加熱調理器１に複数の焼網１９や受皿１８などを用意した場合、それら複数の焼網１９や受皿１８などを使用しないときにそれらを調理庫６下部に設けた収納部２６に収納しておくことができる。該収納部２６は調理器本体２の下方に設けられた一対の保持部材２７にて構成されている。そして、一方の保持部材２７は調理庫６の一方の側壁１２（この場合、左側の側壁１２）下部から下方に所定距離延在し、そこで他方の側壁１２側に略直角に折れ曲がった断面Ｌ字形状に形成されている。
【００４０】
また、他方の保持部材２７は調理庫６の他方の側壁１２（この場合、右側の側壁１２）下部から下方に所定距離延在し、そこで一方の側壁１２側に略直角に折れ曲がった断面逆Ｌ字形状に形成されている。一対の保持部材２７は、前記レール１３と同様に扉２０の下方側から奥方に延在し、折れ曲がった保持部材２７の両下片２７Ａ、２７Ａは相互に近接する方向に所定距離延在している。この下片２７Ａ、２７Ａはレール１３同様受皿１８の両端を支持可能に構成されている。
【００４１】
このような構成により、収納部２６内には受皿１８が扉２０側から挿脱自在に挿入され収納することができる。これにより、焼網１９や受皿１８などを使用しない時には収納部２６内に収納しておくことができると共に、使用したいときには収納部２６内から焼網１９や受皿１８などを取り出し使用することができる。また、不使用時に焼網１９や受皿１８などを収納部２６内に収納しておけるので、それらが使用していない焼網１９や受皿１８が邪魔になったり、紛失してしまったりするのを防止することができる。尚、収納部２６を一対の保持部材２７にて構成しているが、収納部２６を箱状に形成しても差し支えない。この場合、収納部２６の開口を扉２０で閉塞するように構成すれば、箱状の収納部２６内に埃やゴミが入ることもなく、また、ゴキブリなども入ることができないので、収納部２６に収納した焼網１９や受皿１８を極めて清潔に保管することができる。
【００４２】
また、行う調理に応じた専用の受皿を備えた場合では、加熱調理器１の調理庫６下部に扉２０側から奥方に渡って受皿１８などを収納できる収納部２６を設けているので、被調理物２１としての魚を焼いているときは使用しないクッキーやグラタン或いはロールパンなどの調理に使用するグラタン用の受皿やクッキー用の受皿を収納部２６に収納しておくことができる。また、グラタンを作っている場合は、魚焼き用の受皿及びクッキー用の受皿を収納部２６に収納しておくことができる。
【００４３】
更に、クッキーを作っている場合には、被調理物２１としての魚焼き用の受皿及びグラタン用の受皿１８を収納しておくことができるので、不必要な受皿が調理中の調理台の上などに置かれることもなく、調理場を広く使用することができる。また、収納部２６に受皿１８を収納しておくことができるので、それらの受皿１８を使用する調理を行う場合、収納部２６内を見るだけで必要な受皿１８を探し出すことができ、加熱調理器１の利便性を極めて向上させることができる。
【００４４】
実施の形態４．
図１４は本発明の他の一実施形態の概要を示す斜視図、図１５は図１４における扉２０が開状態の断面図、図１６は図１４における扉２０が閉状態の断面図である。尚、前述の各実施の形態と同じ部分には、これと同じ符号を付して説明を省略する。前述の各実施の形態で説明したような加熱調理器において、本実施形態では、図１４、１５、１６に示すように、加熱調理器１の調理庫６内で使用する被調理物２１としての魚の焼網１９を複数段、本実施形態では２段設けている。即ち、従来の調理庫６は多少大きな魚を焼けるように焼網１９から上方の上部加熱体２２までを焼網１９から下部加熱体２３までの距離の約５倍〜８倍位の空間を設けていた。
【００４５】
そこで、従来では大きな魚の半分或いはそれよりも小さな被調理物２１（魚）を焼く場合には焼網１９に載置した魚から上部加熱体２２までの距離が大きく開いてしまい、大きな魚の半分或いはそれよりも小さな魚を数多く焼く場合は不経済であった。また、魚を数多く焼く場合には、それらの数多い魚は焼網１９に一度に載らず、最初に焼いて調理庫６内から取り出した魚は次の魚が焼けるときには冷めてしまい風味を損ねてしまう。そこで、多数の小さな魚を一度に焼けるように本発明では焼網１９を２段に構成している。
【００４６】
即ち、受皿１８には前述した焼網１９（１段目）と、この焼網１９（１段目）と所定の間隔を存して上部加熱体２２側に位置する上焼網１９Ａ（２段目）とを備えている。この上焼網１９Ａは焼網１９同様受皿１８上に着脱自在に構成されている。即ち、最初に受皿１８に焼網１９を載置しその焼網１９の上に被調理物２１としての魚を載せた後、更に受皿１８に上焼網１９Ａを載置しその上焼網１９Ａの上に魚を載せる。これによって、１段目の焼網１９と、２段目の上焼網１９Ａの上に魚を載せて焼くことができると共に焼けた魚を取り出すこともできる。
【００４７】
そして、１段目と２段目の焼網１９、１９Ａを使用する場合、１段目と２段目の焼網１９、１９Ａに載置する被調理物２１としての魚を交互にずらして載置する。この場合、上部加熱体２２の熱が２段目の上焼網１９Ａを通過して１段目の焼網１９に載せた魚に直接伝わるように、２段目の上焼網１９Ａには所定の間隔を存して魚を載置すると共に、下部加熱体２３の熱が１段目の焼網１９を通過して２段目の上焼網１９Ａ上の魚に直接伝わるように、１段目の焼網１９には所定の間隔を存して魚を載置する。これにより、上部加熱体２２の熱で２段目の上焼網１９Ａに載せた魚を、また、上部加熱体２２の熱が上焼網１９Ａに載せた魚の間を通過して１段目の焼網１９上の魚を焼くことができる。
【００４８】
このように、受皿１８上に複数段の焼網を設けているので、一つの調理庫６内で被調理物２１としての多数の魚を一度に焼くことができる。これにより、魚を数多く焼く場合でも従来のように最初に焼いた魚が冷めることなく、数多くの魚を一度に焼くことができるので、魚の風味を損ねてしまうなどの不都合を未然に防止することができる。従って、調理庫６内を有効に使用することができ、極めて加熱調理器１の利便性を向上させることができるようになる。
【００４９】
実施の形態５．
図１７には扉２０に設けた複数の係合部２０Ａと、扉２０に係合されて受皿１８を支持するための支持手段とからなる保持手段を示している。尚、前述の各実施の形態と同じ部分には、これと同じ符号を付して説明を省略する。前述の各実施の形態で説明したような加熱調理器では、扉２０と受皿１８が直接着脱可能となっている構成を例に挙げて説明したが、本発明はこれに限られるものではない。本実施形態では、該支持手段は、扉２０側から調理庫６の奥方向に延在する枠体２８にて構成されると共に、この枠体２８は受皿１８の周囲を支持可能な形状に形成されている。即ち、枠体２８は前記受皿１８周囲を支持可能な大きさの略矩形状に形成されている。これによって、下部加熱体２３の熱は枠体２８に阻止されず、直接受皿１８を加熱し、受皿１８内に載置した被調理物２１を調理することができる。
【００５０】
また、枠体２８の一側（扉２０側）には係合部２０Ａに係合可能な係合支持部２８Ａが形成されており、この係合支持部２８Ａは扉２０側に所定距離延在したところで折れ曲がって所定距離上方に延在している。この係合支持部２８Ａが扉２０の係合部２０Ａに係合される（図中矢印）ことにより、扉２０に略水平に枠体２８を係合できるように構成している。そして、枠体２８の係合支持部２８Ａが扉２０の係合部２０Ａに係合された状態で、受皿１８は枠体２８上に支持される（図中矢印）。
【００５１】
このように、扉２０に設けた複数の係合部２０Ａと、扉２０に係合されて受皿１８を支持するための枠体２８とからなる保持手段を設けているので、複数の係合部２０Ａの何れかに枠体２８を係合させて受皿１８を支持させることができる。これにより、調理庫６内における受皿１８の配置高さを変更することができる。また、被調理物の種類に応じた専用の受皿を用意した場合であっても、枠体２８に載置し支持した受皿１８を簡単に行いたい調理にもっとも適した受皿に交換することができる。従って、異なる種類の被調理物２１を極めて容易に調理することができる。
【００５２】
尚、枠体２８は受皿１８の両端を支持可能な棒状にて構成しても、同様な効果を得ることができる。また、枠体２８は、係合部２０Ａに受皿１８を安定して略水平に支持できれば枠体２８、或いは棒状の支持部材の何れのものを用いても差し支えない。
【００５３】
また、本実施形態においても、複数の枠体２８及び受皿１８を用意しておくことで、複数段の調理を行うことが可能であり、このように複数段にて調理を行えば、一度に多くの被調理物２１を調理することができる。さらに、本実施形態のような変形例のほかにも、扉２０に対して異なる高さに固定された複数の受皿１８を多数備えた構成であっても、使用したい高さに固定された受皿１８が固定された扉２０を用いることで、前述の実施形態と同様に受皿１８の調理庫６内における高さを変更することができる。そして被調理物の種類に応じた専用の受皿を用意する場合であっても、魚焼き用の受皿１８を固定した扉２０を設けると共に、魚焼き用の受皿１８を固定した扉２０以外に、クッキー或いはグラタンなどを焼く受皿を一体に固定した扉２０を用意しておけば良い。これにより、扉２０へ受皿１８を取り付ける手間を省くことができ、扉２０に受皿１８を着脱する煩わしさから解消され使い勝手が良くなる。
【図面の簡単な説明】
【００５４】
【図１】本発明に係る加熱調理器の斜視図である。（実施例１）
【図２】本発明に係る加熱調理器の調理庫内から焼網を引き出し被調理物としての魚を載置した状態（扉開状態）の斜視図である。
【図３】同図２の加熱調理器の縦断側面図（被調理物は図示せず）である。
【図４】同図３の焼網を調理庫内に収納した状態（扉閉状態）の加熱調理器の縦断側面図である。
【図５】本発明に係る加熱調理器の受皿の調理庫６内における配置高さを変更して調理を行っているところを示す斜視図である。
【図６】同図５の加熱調理器（扉開）の縦断側面図である。
【図７】同図５の加熱調理器（扉閉）の縦断側面図である。
【図８】本発明の一実施形態に係る加熱調理器の調理庫内でクッキーを調理する例を示した斜視図である。
【図９】同図８の加熱調理器（扉開）の縦断側面図である。
【図１０】同図８の加熱調理器（扉閉）の縦断側面図である。
【図１１】脱臭塗料をコーティングした調理庫内の内壁の斜視図である。
【図１２】同図１１のＡ−Ａ線断面図である。
【図１３】本発明に他の一実施形態に係る加熱調理器（調理器本体下部に設けた収納部）の斜視図である。
【図１４】本発明の他の一実施形態に係る加熱調理器（扉開・魚の焼網を２段に構成）の斜視図である。
【図１５】同図１４の加熱調理器（扉開）の縦断側面図を示している。
【図１６】同図１４の加熱調理器（扉閉）の縦断側面図を示している。
【図１７】本発明の他の一実施形態に係る加熱調理器の扉（支持手段を設けた扉）の縦断側面図である。
【符号の説明】
【００５５】
１  加熱調理器、２  調理器本体、３  トッププレート、６  調理庫、１２  側壁、１２Ａ  波形状、１３  レール、１３Ａ  凸状部、１４  操作部、１６  天板操作部、１８  受皿、１９  焼網、１９Ａ  上焼網、２０  扉、２０Ａ  係合部、２０Ｃ  受皿支え、２１  被調理物、２２  上部加熱体、２３  下部加熱体、２６  収納部、２８  枠体、２８Ａ  係合支持部。
【図１】
2005069611.tif 000003
【図２】
2005069611.tif 000004
【図３】
2005069611.tif 000005
【図４】
2005069611.tif 000006
【図５】
2005069611.tif 000007
【図６】
2005069611.tif 000008
【図７】
2005069611.tif 000009
【図８】
2005069611.tif 000010
【図９】
2005069611.tif 000011
【図１０】
2005069611.tif 000012
【図１１】
2005069611.tif 000013
【図１２】
2005069611.tif 000014
【図１３】
2005069611.tif 000015
【図１４】
2005069611.tif 000016
【図１５】
2005069611.tif 000017
【図１６】
2005069611.tif 000018
【図１７】
2005069611.tif 000019